(57)【要約】      （修正有）【課題】仕切り壁で区切られた異なる空間のそれぞれの使用場面に応じた適切な照明を実現できる仕切り壁を提供する。【解決手段】第１の空間と第２の空間とを仕切る移動可能な仕切り壁１であって、前記第１の空間側の第１発光面２０１と、前記第１発光面の反対側に位置する前記第２の空間側の第２発光面２０２と、前記第１および第２発光面の一端側から前記第１および第２発光面に向けて光を射出する光源３０と、を有する発光装置２０を備え、前記発光装置は、前記第１発光面から前記第１の空間に向けて前記光を射出し、前記第２発光面から前記第２の空間に向けて前記第１発光面と異なる射出態様で前記光を射出する。【選択図】図１
2020133242.tif 000002
【特許請求の範囲】
【請求項１】
第１の空間と第２の空間とを仕切る移動可能な仕切り壁であって、
前記第１の空間側の第１発光面と、前記第１発光面の反対側に位置する前記第２の空間側の第２発光面と、前記第１および第２発光面の一端側から前記第１および第２発光面に向けて光を射出する光源と、を有する発光装置を備え、
前記発光装置は、前記第１発光面から前記第１の空間に向けて前記光を射出し、前記第２発光面から前記第２の空間に向けて前記第１発光面と異なる射出態様で前記光を射出する、仕切り壁。
【請求項２】
前記射出態様は、色度分布を含む、請求項１に記載の仕切り壁。
【請求項３】
前記射出態様は、輝度分布を含む、請求項１または２に記載の仕切り壁。
【請求項４】
前記射出態様は、意匠を含む、請求項１〜３のいずれか１項に記載の仕切り壁。
【請求項５】
前記発光装置は、前記第１発光面と前記第２発光面との間に位置し、前記光源から到達した光を前記第１または第２発光面に向けて進行させる光学層を更に備え、
前記光学層は、前記第１発光面側と前記第２発光面側とで異なる光学特性を有する、請求項１〜４のいずれか１項に記載の仕切り壁。
【請求項６】
前記光学特性は、反射率分布を含む、請求項５に記載の仕切り壁。
【請求項７】
前記光学特性は、透過率分布を含む、請求項５または６に記載の仕切り壁。
【請求項８】
前記光学層は、前記第１発光面側の第１光学面と、前記第１光学面と光学特性が異なる前記第２発光面側の第２光学面と、を有する、請求項５〜７のいずれか１項に記載の仕切り壁。
【請求項９】
前記光学層は、前記第１発光面側の第１光学層と、前記第１光学層と光学特性が異なる前記第２発光面側の第２光学層と、を有する、請求項５〜７のいずれか１項に記載の仕切り壁。
【請求項１０】
前記光学層は、第１の空隙部を挟んで前記第１発光面に対向し、第２の空隙部を挟んで前記第２発光面に対向している、請求項５〜９のいずれか１項に記載の仕切り壁。
【請求項１１】
前記発光装置は、前記光学層と前記第１発光面との間および前記光学層と前記第２発光面との間の少なくとも一方に位置する導光板を更に備える、請求項５〜９のいずれか１項に記載の仕切り壁。
【請求項１２】
前記第１および第２発光面の少なくとも一方は、前記導光板の表面である、請求項１１に記載の仕切り壁。
【請求項１３】
前記発光装置は、前記第１および第２発光面の双方からの前記光の射出と、前記第１および第２発光面のいずれか一方からの前記光の射出とを切り替える切替部材を更に備える、請求項５〜１２のいずれか１項に記載の仕切り壁。
【請求項１４】
前記切替部材は、前記光源と前記光学層との間に位置する反射板を有し、
前記反射板は、前記第１発光面および前記第２発光面に沿った一軸方向に対して前記第２発光面側に傾くように移動することで、前記第１発光面に向かうように前記光の進行を制御し、前記一軸方向に対して前記第１発光面側に傾くように移動することで、前記第２発光面に向かうように前記光の進行を制御し、前記一軸方向に対して前記第１発光面側および前記第２発光面側のいずれにも傾かないことで、前記第１および第２発光面の双方に向かうように前記光の進行を制御する、請求項１３に記載の仕切り壁。
【請求項１５】
前記切替部材は、前記第１発光面および前記第２発光面に沿った一軸方向に対して前記第２発光面側に傾くように前記光学層を移動させることで、前記第１発光面に向かうように前記光の進行を制御し、前記一軸方向に対して前記第１発光面側に傾くように前記光学層を移動させることで、前記第２発光面に向かうように前記光の進行を制御し、前記一軸方向に対して前記第１発光面側および前記第２発光面側のいずれにも前記光学層を傾けないことで、前記第１および第２発光面の双方に向かうように前記光の進行を制御する、請求項１３に記載の仕切り壁。
【請求項１６】
前記切替部材は、前記光源と前記光学層との間に位置するプリズムを有し、
前記プリズムは、前記第１発光面側にのみ前記光を屈折させる位置まで移動することで、前記第１発光面に向かうように前記光の進行を制御し、前記第２発光面側にのみ前記光を屈折させる位置まで移動することで、前記第２発光面に向かうように前記光の進行を制御し、前記第１発光面側および前記第２発光面側の双方に前記光を屈折させる位置まで移動することで、前記第１および第２発光面の双方に向かうように前記光の進行を制御する、請求項１３に記載の仕切り壁。
【請求項１７】
前記切替部材は、前記光学層よりも前記第１発光面側に前記光源を移動させることで、前記第１発光面に向かうように前記光の進行を制御し、前記光学層よりも前記第２発光面側に前記光源を移動させることで、前記第２発光面に向かうように前記光の進行を制御し、前記光学層の一端に面する位置に前記光源を移動させることで、前記第１および第２発光面の双方に向かうように前記光の進行を制御する、請求項１３に記載の仕切り壁。
【請求項１８】
前記第１発光面の或る位置からの出射光量は、当該位置よりも一軸方向における一方の側に位置する前記第１発光面の他の或る位置からの出射光量よりも少ない、請求項１〜１７のいずれか１項に記載の仕切り壁。
【請求項１９】
前記第２発光面の或る位置からの出射光量は、当該位置よりも一軸方向における一方の側に位置する前記第２発光面の他の或る位置からの出射光量よりも少ない、請求項１〜１８のいずれか１項に記載の仕切り壁。
【請求項２０】
前記発光装置は、前記第１発光面を覆う第１化粧シートと、前記第２発光面を覆う第２化粧シートと、を備える、請求項１〜１９のいずれか１項に記載の仕切り壁。
【発明の詳細な説明】
【技術分野】
【０００１】
本開示は、仕切り壁に関する。
【背景技術】
【０００２】
従来から、空間を区画する仕切り壁に関する種々の技術が提案されている。例えば、特許文献１では、間接照明を使った演出性の高い室内空間を提供することを目的とした仕切り壁が提案されている。特許文献１に開示された仕切り壁は、仕切り壁の本体の周縁部に間接照明用の照明器具を内蔵して構成されている。
【先行技術文献】
【特許文献】
【０００３】
【特許文献１】特開２０００−５４５３３号公報
【発明の概要】
【発明が解決しようとする課題】
【０００４】
しかしながら、特許文献１においては、部品点数を抑えながら仕切り壁で仕切られた異なる空間のそれぞれの使用場面に応じた適切な照明を実現することについて有効な提案がなされていないのが実情であった。例えば、互いに異なる二種類の仕切り壁を組み合わせたり、一つの仕切り壁の中に二種類の光源を設け、互いに発光状態を異ならせたりすることは可能であったが、光源やフレームなど、部品点数が増えてしまう課題があった。
【０００５】
本開示は、以上の点を考慮してなされたものであり、部品点数を抑えながら仕切り壁で仕切られた異なる空間のそれぞれの使用場面に応じた適切な照明を実現することができる仕切り壁を提供することを目的とする。
【課題を解決するための手段】
【０００６】
本開示による仕切り壁は、
第１の空間と第２の空間とを仕切る移動可能な仕切り壁であって、
前記第１の空間側の第１発光面と、前記第１発光面の反対側に位置する前記第２の空間側の第２発光面と、前記第１および第２発光面の一端側から前記第１および第２発光面に向けて光を射出する光源と、を有する発光装置を備え、
前記発光装置は、前記第１発光面から前記第１の空間に向けて前記光を射出し、前記第２発光面から前記第２の空間に向けて前記第１発光面と異なる射出態様で前記光を射出する。
【０００７】
本開示による仕切り壁において、
前記射出態様は、色度分布を含んでいてもよい。
【０００８】
本開示による仕切り壁において、
前記射出態様は、輝度分布を含んでいてもよい。
【０００９】
本開示による仕切り壁において、
前記射出態様は、意匠を含んでいてもよい。
【００１０】
本開示による仕切り壁において、
前記発光装置は、前記第１発光面と前記第２発光面との間に位置し、前記光源から到達した光を前記第１または第２発光面に向けて進行させる光学層を更に備え、
前記光学層は、前記第１発光面側と前記第２発光面側とで異なる光学特性を有していてもよい。
【００１１】
本開示による仕切り壁において、
前記光学特性は、反射率分布を含んでいてもよい。
【００１２】
本開示による仕切り壁において、
前記光学特性は、透過率分布を含んでいてもよい。
【００１３】
本開示による仕切り壁において、
前記光学層は、前記第１発光面側の第１光学面と、前記第１光学面と光学特性が異なる前記第２発光面側の第２光学面と、を有していてもよい。
【００１４】
本開示による仕切り壁において、
前記光学層は、前記第１発光面側の第１光学層と、前記第１光学層と光学特性が異なる前記第２発光面側の第２光学層と、を有していてもよい。
【００１５】
本開示による仕切り壁において、
前記光学層は、第１の空隙部を挟んで前記第１発光面に対向し、第２の空隙部を挟んで前記第２発光面に対向していてもよい。
【００１６】
本開示による仕切り壁において、
前記発光装置は、前記光学層と前記第１発光面との間および前記光学層と前記第２発光面との間の少なくとも一方に位置する導光板を更に備えていてもよい。
【００１７】
本開示による仕切り壁において、
前記第１および第２発光面の少なくとも一方は、前記導光板の表面であってもよい。
【００１８】
本開示による仕切り壁において、
前記発光装置は、前記第１および第２発光面の双方からの前記光の射出と、前記第１および第２発光面のいずれか一方からの前記光の射出とを切り替える切替部材を更に備えていてもよい。
【００１９】
本開示による仕切り壁において、
前記切替部材は、前記光源と前記光学層との間に位置する反射板を有し、
前記反射板は、前記第１発光面および前記第２発光面に沿った一軸方向に対して前記第２発光面側に傾くように移動することで、前記第１発光面に向かうように前記光の進行を制御し、前記一軸方向に対して前記第１発光面側に傾くように移動することで、前記第２発光面に向かうように前記光の進行を制御し、前記一軸方向に対して前記第１発光面側および前記第２発光面側のいずれにも傾かないことで、前記第１および第２発光面の双方に向かうように前記光の進行を制御してもよい。
【００２０】
本開示による仕切り壁において、
前記切替部材は、前記第１発光面および前記第２発光面に沿った一軸方向に対して前記第２発光面側に傾くように前記光学層を移動させることで、前記第１発光面に向かうように前記光の進行を制御し、前記一軸方向に対して前記第１発光面側に傾くように前記光学層を移動させることで、前記第２発光面に向かうように前記光の進行を制御し、前記一軸方向に対して前記第１発光面側および前記第２発光面側のいずれにも前記光学層を傾けないことで、前記第１および第２発光面の双方に向かうように前記光の進行を制御してもよい。
【００２１】
本開示による仕切り壁において、
前記切替部材は、前記光源と前記光学層との間に位置するプリズムを有し、
前記プリズムは、前記第１発光面側にのみ前記光を屈折させる位置まで移動することで、前記第１発光面に向かうように前記光の進行を制御し、前記第２発光面側にのみ前記光を屈折させる位置まで移動することで、前記第２発光面に向かうように前記光の進行を制御し、前記第１発光面側および前記第２発光面側の双方に前記光を屈折させる位置まで移動することで、前記第１および第２発光面の双方に向かうように前記光の進行を制御してもよい。
【００２２】
本開示による仕切り壁において、
前記切替部材は、前記光学層よりも前記第１発光面側に前記光源を移動させることで、前記第１発光面に向かうように前記光の進行を制御し、前記光学層よりも前記第２発光面側に前記光源を移動させることで、前記第２発光面に向かうように前記光の進行を制御し、前記光学層の一端に面する位置に前記光源を移動させることで、前記第１および第２発光面の双方に向かうように前記光の進行を制御してもよい。
【００２３】
本開示による仕切り壁において、
前記第１発光面の或る位置からの出射光量は、当該位置よりも一軸方向における一方の側に位置する前記第１発光面の他の或る位置からの出射光量よりも少なくてもよい。
【００２４】
本開示による仕切り壁において、
前記第２発光面の或る位置からの出射光量は、当該位置よりも一軸方向における一方の側に位置する前記第２発光面の他の或る位置からの出射光量よりも少なくてもよい。
【００２５】
本開示による仕切り壁において、
前記発光装置は、前記第１発光面を覆う第１化粧シートと、前記第２発光面を覆う第２化粧シートと、を備えていてもよい。
【発明の効果】
【００２６】
本開示によれば、部品点数を抑えながら仕切り壁で仕切られた異なる空間のそれぞれの使用場面に応じた適切な照明を実現することができる。
【図面の簡単な説明】
【００２７】
【図１】一実施の形態に係る仕切り壁を示す断面図である。
【図２】図１の仕切り壁の正面図である。
【図３】第１の変形例に係る仕切り壁を示す平面図である。
【図４】第１の変形例に係る仕切り壁を示す背面図である。
【図５】第２の変形例に係る仕切り壁を示す平面図である。
【図６】第２の変形例に係る仕切り壁を示す背面図である。
【図７】第３の変形例に係る仕切り壁を示す平面図である。
【図８】第３の変形例に係る仕切り壁を示す背面図である。
【図９】第４の変形例に係る仕切り壁を示す断面図である。
【図１０】第５の変形例に係る仕切り壁を示す断面図である。
【図１１】図１０の仕切り壁の部分拡大断面図である。
【図１２】第６の変形例に係る仕切り壁を示す断面図である。
【図１３】第７の変形例に係る仕切り壁を示す断面図である。
【図１４】第８の変形例に係る仕切り壁を示す断面図である。
【図１５】第９の変形例に係る仕切り壁を示す断面図である。
【図１６】第１０の変形例に係る仕切り壁を示す断面図である。
【図１７】第１１の変形例に係る仕切り壁を示す断面図である。
【図１８】第１２の変形例に係る仕切り壁を示す断面図である。
【図１９】第１３の変形例に係る仕切り壁を示す断面図である。
【発明を実施するための形態】
【００２８】
以下、図面を参照して本開示の一実施の形態について説明する。なお、本件明細書に添付する図面においては、図示と理解のしやすさの便宜上、適宜縮尺および縦横の寸法比等を、実物のそれらから変更し誇張してある。
【００２９】
また、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００３０】
また、本明細書において、「シート」、「フィルム」、「板」の用語は、呼称の違いのみに基づいて、互いから区別されるものではない。例えば、「板」はシートやフィルムと呼ばれ得るような部材も含む概念である。
【００３１】
図１は、一実施の形態に係る仕切り壁１を示す断面図である。図２は、図１の仕切り壁１の正面図である。本実施の形態に係る仕切り壁１は、移動可能な仕切り壁１であって、床面ｆ上に載置されて第１の空間Ｓ１と第２の空間Ｓ２とを仕切るために用いることができる。移動可能とは、仕切り壁１が建物の構造の一部として建物に不動状態に固定されておらず、仕切り壁１の位置を変更可能なことをいう。以下、図１および図２に示される床面ｆに直交する方向ｄ１を上下方向ｄ１と定義し、図２に示される仕切り壁１の横幅に沿った方向ｄ２を左右方向ｄ２と定義し、図１に示される仕切り壁１の厚みに沿った方向ｄ３を前後方向ｄ３と定義する。
【００３２】
図１に示すように、仕切り壁１は、フレーム１０と、フレーム１０に保持された発光装置２０とを備える。
【００３３】
フレーム１０は、発光装置２０を保持する部材である。フレーム１０は、前壁部１１と、後壁部１２と、上壁部１３と、底壁部１４と、左側壁部１５と、右側壁部１６と、台座１７とを有する。仕切り壁１は、台座１７を介して床面ｆに載置されている。台座１７には、キャスターが装着されていてもよい。
【００３４】
発光装置２０は、仕切り壁１で仕切られる第１の空間Ｓ１と第２の空間Ｓ２との双方に向けて光Ｌを射出することで第１の空間Ｓ１および第２の空間Ｓ２の双方を照明する装置である。
【００３５】
発光装置２０は、第１の空間Ｓ１側の第１発光面２０１と、第１発光面２０１の反対側に位置する第２の空間Ｓ２側の第２発光面２０２と、第１発光面２０１および第２発光面２０２の上端側から第１発光面２０１および第２発光面２０２に向けて光Ｌを射出する光源３０とを備える。発光装置２０は、第１発光面２０１から第１の空間Ｓ１に向けて光Ｌを射出し、第２発光面２０２から第２の空間Ｓ２に向けて第１発光面２０１と異なる射出態様で光Ｌを射出する。以下、このような発光装置２０の構成について更に具体的に説明する。
【００３６】
発光装置２０は、光源３０と、光学層４０と、第１透過拡散板６１と、第２透過拡散板６２と、第１化粧シート７１と、第２化粧シート７２とを備える。
【００３７】
光源３０は、光Ｌを発光する複数の発光体３１と、発光体３１を支持する基板３２とを有する。発光体３１は、例えば、発光ダイオードによって構成される。図１および図２に示される例において、複数の発光体３１は、基板３２の下面に保持されている。図２に示すように、複数の発光体３１は、基板３２の長手方向である左右方向ｄ２に間隔を空けて配置されている。一例として、各発光体３１は、互いに異なる波長域の光を発光可能な複数種類の発光体３１である。この場合、各発光体３１の出力を調整することで、加法混色により、種々の色の照明光で照明を行うことが可能となる。典型的には、赤色の光を射出可能な発光体３１と、緑色の光を射出可能な発光体３１と、青色の光を射出可能な発光体３１とを含むことで、光Ｌの色を色度図上の全範囲の色から選択可能とすることが可能となる。光源３０は、更に、白色の光を射出可能な発光体３１を含んでもよい。
【００３８】
光学層４０は、第１発光面２０１と第２発光面２０２との間に位置し、光源３０から到達した光Ｌを第１発光面２０１または第２発光面２０２に向けて進行させる層である。図１に示される例において、光学層４０は、第１の空隙部８０１を挟んで第１発光面２０１に対向し、第２の空隙部８０２を挟んで第２発光面２０２に対向している。光学層４０は、第１発光面２０１側と第２発光面２０２側とで異なる光学特性を有する。光学特性は、反射率および透過率の少なくとも一方を含む。反射率は、反射率の波長分布を含み、透過率は、透過率の波長分布を含んでもよい。また、反射率は反射率の面内分布を含み、透過率は透過率の面内分布を含んでもよい。また、第１の空隙部８０１と第２の空隙部８０２は、内部に仕切り板などの構造物を設けて、強度を付与したり、発光の射出態様を調整したりしてもよい。
【００３９】
このように、光学層４０が第１発光面２０１側と第２発光面２０２側とで異なる光学特性を有することで、第１発光面２０１および第２発光面２０２からの光Ｌの射出態様を互いに異ならせることができる。
【００４０】
図１に示される例において、光学層４０は、第１発光面２０１側の第１光学層４１と、第１光学層４１と光学特性が異なる第２発光面２０２側の第２光学層４２とを有する。
【００４１】
第１光学層４１および第２光学層４２は、例えば、樹脂やガラス等の透光性材料で構成された透明基材の表面に白色インクによる光反射層や黒色インクによる光吸収層を網点等の所定のパターンで印刷することによって形成してもよい。この場合、第１光学層４１と第２光学層４２との間で光反射層または光吸収層の形状、大きさ、密度等を異ならせることで、第１発光面２０１から射出される光Ｌと第２発光面２０２から射出される光Ｌの輝度分布を異ならせることができる。また、この場合、輝度分布に替えて、または、輝度分布に加えて、模様などの意匠を異ならせてもよい。あるいは、第１光学層４１および第２光学層４２は、透明基材上にカラーフィルタを設けることで形成してもよい。この場合、第１光学層４１と第２光学層４２との間でカラーフィルタの透過波長を異ならせることで、第１発光面２０１から射出される光Ｌと第２発光面２０２から射出される光Ｌの色度分布を異ならせることができる。第１発光面２０１および第２発光面２０２から射出される光Ｌの輝度分布または色度分布は、輝度計または色度計を用いて後述する第１化粧シート７１および第２化粧シート７２の表面の輝度または色度を測定することで間接的に測定してもよい。
【００４２】
また、例えば、透明基材の表面に凹凸形状を形成することで、第１光学層４１および第２光学層４２を形成することもできる。この場合、第１光学層４１と第２光学層４２との間で凹凸形状を異ならせることで、第１発光面２０１から射出される光Ｌと第２発光面２０２から射出される光Ｌの輝度分布や意匠を異ならせることができる。
【００４３】
また、例えば、透明基材の表面に金属膜および誘電体膜を積層することで、第１光学層４１および第２光学層４２を形成することもてきる。この場合、第１光学層４１と第２光学層４２との間で金属膜および誘電体膜の種類、膜厚、積層数等を異ならせることで、第１発光面２０１から射出される光Ｌと第２発光面２０２から射出される光Ｌの輝度分布を異ならせることができる。
【００４４】
また、例えば、透明基板の内部に、透明基板と屈折率が異なる粒子や気泡等の拡散材を含有させることで、第１光学層４１および第２光学層４２を形成することもできる。この場合、第１光学層４１と第２光学層４２との間で拡散材の種類や密度等を異ならせることで、第１発光面２０１から射出される光Ｌと第２発光面２０２から射出される光Ｌの輝度分布を異ならせることができる。
【００４５】
また、例えば、第１光学層４１と第２光学層４２との間で透明基板の材料を異ならせることで、第１発光面２０１から射出される光Ｌと第２発光面２０２から射出される光Ｌの輝度分布を異ならせることができる。
【００４６】
このように、互いに光学特性が異なる第１光学層４１と第２光学層４２とを有することで、光学層４０は、第１発光面２０１側と第２発光面２０２側とで異なる光学特性を有することができる。
【００４７】
第１光学層４１には、光源３０から射出された光Ｌが、例えば、第１透過拡散板６１で反射された後に第１透過拡散板６１側から入射する。第１透過拡散板６１による光Ｌの反射は、正反射であってもよいし、拡散反射であってもよい。第１光学層４１は、第１透過拡散板６１側から入射した光Ｌを、第１光学層４１の反射率に応じた光量で第１透過拡散板６１側に向けて反射させる。第１光学層４１による光Ｌの反射は、正反射であってもよいし、拡散反射であってもよい。拡散反射は、等方性であってもよいし、異方性であってもよい。また、第１光学層４１は、第１透過拡散板６１側から入射した光Ｌを、第１光学層４１の透過率に応じた光量で第２光学層４２側に透過させてもよい。第１光学層４１による光Ｌの透過は、非拡散透過であってもよいし、拡散透過であってもよい。拡散透過は、等方性であってもよいし、異方性であってもよい。また、第１光学層４１には、光源３０から射出された光Ｌが、第２透過拡散板６２で反射され、第２光学層４２で透過された後に第２光学層４２側から入射してもよい。第１光学層４１は、第２光学層４２側から入射した光Ｌを、第１光学層４１の透過率に応じた光量で第１透過拡散板６１側に透過させてもよい。
【００４８】
第２光学層４２には、光源３０から射出された光Ｌが、例えば、第２透過拡散板６２で反射された後に第２透過拡散板６２側から入射する。第２透過拡散板６２による光Ｌの反射は、正反射であってもよいし、拡散反射であってもよい。第２光学層４２は、第２透過拡散板６２側から入射した光Ｌを、第１光学層４１の反射率と異なる第２光学層４２の反射率に応じた光量で第２透過拡散板６２側に向けて反射させる。第２光学層４２による光Ｌの反射は、正反射であってもよいし、拡散反射であってもよい。拡散反射は、等方性であってもよいし、異方性であってもよい。また、第２光学層４２は、第２透過拡散板６２側から入射した光Ｌを、第１光学層４１の透過率と異なる第２光学層４２の透過率に応じた光量で第１光学層４１側に透過させてもよい。第２光学層４２による光Ｌの透過は、非拡散透過であってもよいし、拡散透過であってもよい。拡散透過は、等方性であってもよいし、異方性であってもよい。また、第２光学層４２には、光源３０から射出された光Ｌが、第１透過拡散板６１で反射され、第１光学層４１で透過された後に第１光学層４１側から入射してもよい。第２光学層４２は、第１光学層４１側から入射した光Ｌを、第２光学層４２の透過率に応じた光量で第２透過拡散板６２側に透過させてもよい。
【００４９】
第１透過拡散板６１は、第１発光面２０１を有し、光源３０から射出された光Ｌを透過および拡散させて第１発光面２０１から第１の空間Ｓ１に向けて射出させる部材である。第１透過拡散板６１は、フレーム１０の前壁部１１側に設けられている。光源３０から射出された光Ｌの一部は、第１光学層４１を経た後に第１透過拡散板６１に入射する。第１透過拡散板６１は、光拡散機能を有しており、透過光に起因した輝度角度分布を整えることができる。第１透過拡散板６１で拡散された光Ｌは、第１発光面２０１から射出して第１化粧シート７１に向かう。第１透過拡散板６１には、光拡散機能を発揮し得る種々の構成を採用することができる。第１透過拡散板６１が有する拡散特性は、等方性であってもよいし、異方性であってもよい。
【００５０】
第１透過拡散板６１は、例えば、接着剤によって少なくとも部分的に前壁部１１に接着されて保持されていてもよい。第１透過拡散板６１から射出された光Ｌを遮光せずに第１化粧シート７１側に適切に進行させるため、前壁部１１のうち第１透過拡散板６１が設けられた部分は、例えば、光Ｌが素通りするように開口されている。あるいは、前壁部１１のうち第１透過拡散板６１が設けられた部分は、光Ｌが透過するようにガラスなどの可視光透過性を有する材料で構成されていてもよい。
【００５１】
第２透過拡散板６２は、第２発光面２０２を有し、光源３０から射出された光Ｌを透過および拡散させて第２発光面２０２から第２の空間Ｓ２に向けて射出させる部材である。第２透過拡散板６２は、フレーム１０の後壁部１２側に設けられている。光源３０から射出された光Ｌの一部は、第２光学層４２を経た後に第２透過拡散板６２に入射する。第２透過拡散板６２は、光拡散機能を有しており、透過光に起因した輝度角度分布を整えることができる。第２透過拡散板６２で拡散された光Ｌは、第２発光面２０２から射出して第２化粧シート７２に向かう。第２透過拡散板６２には、光拡散機能を発揮し得る種々の構成を採用することができる。第２透過拡散板６２が有する拡散特性は、等方性であってもよいし、異方性であってもよい。
【００５２】
第２透過拡散板６２は、例えば、接着剤によって少なくとも部分的に後壁部１２に接着されて保持されていてもよい。第２透過拡散板６２から射出された光Ｌを遮光せずに第２化粧シート７２側に適切に進行させるため、後壁部１２のうち第２透過拡散板６２が設けられた部分は、例えば、光Ｌが素通りするように開口されている。あるいは、後壁部１２のうち第２透過拡散板６２が設けられた部分は、光Ｌが透過するようにガラスなどの可視光透過性を有する材料で構成されていてもよい。
【００５３】
第１化粧シート７１は、第１の空間Ｓ１に露出して配置され、仕切り壁１の第１の空間Ｓ１側の化粧面を形成する部材である。第１化粧シート７１は、第１透過拡散板６１の第１発光面２０１を覆うように第１発光面２０１に対面して設けられている。第１化粧シート７１は、可視光透過性を有しており、これにより、第１の空間Ｓ１に接する第１化粧シート７１の化粧面は、光Ｌを射出可能である。第１化粧シート７１は、第１透過拡散板６１を隠蔽することで、第１透過拡散板６１が剥き出しの場合と比較して、第１発光面２０１から射出される光Ｌの端部を目立たなくさせることができる。この工夫により、光源３０の存在感を効果的に薄めた状態にて、第１の空間Ｓ１を演出することができ、これにより、第１の空間Ｓ１の雰囲気を更に効果的に高めることができる。また、使用場面により発光装置を非発光とする場合でも、外に化粧面が現れるため、違和感を与えない。なお、必要に応じて第１化粧シート７１を省略してもよい。
【００５４】
第１透過拡散板６１から射出された光Ｌの少なくとも一部は、第１化粧シート７１を透過して第１の空間Ｓ１に向けて射出される。このように第１化粧シート７１は透過照明されることから、透過率の比較的高い白色系の壁紙を第１化粧シート７１として好適に用いることができる。ただし、透過率の比較的低い壁紙、例えば木目調の壁紙でも十分有効に透過照明されることができ、第１化粧シート７１の柄等は特に限定されるものではない。第１化粧シート７１における可視光線透過率は、１．０％以上であることが好ましく、１０％以上であることがより好ましい。可視光線透過率は、赤外可視紫外分光光度計（（株）島津製作所社製  ＵＶ３１００ＰＣ）を使用し、ＪＩＳ  Ａ５７５９−２００８に従い３８０ｎｍ以上７８０ｎｍ以下の波長域における分光透過率測定し、同規格に規定される算出式により算出したものである。第１化粧シート７１は、接着剤によって少なくとも部分的に第１透過拡散板６１または前壁部１１に接着されて保持されていてもよい。また、第一化粧シート７１は、紙、プラスチックシート、布などから構成されてもよい。
【００５５】
第２化粧シート７２は、第２の空間Ｓ２に露出して配置され、仕切り壁１の第２の空間Ｓ２側の化粧面を形成する部材である。第２化粧シート７２は、第２透過拡散板６２の第２発光面２０２を覆うように第２発光面２０２に対面して設けられている。第２化粧シート７２は、可視光透過性を有しており、これにより、第２の空間Ｓ２に接する第２化粧シート７２の化粧面は、光Ｌを射出可能である。第２化粧シート７２は、第２透過拡散板６２を隠蔽することで、第２透過拡散板６２が剥き出しの場合と比較して、第２発光面２０２から射出される光Ｌの端部を目立たなくさせることができる。この工夫により、光源３０の存在感を効果的に薄めた状態にて、第２の空間Ｓ２を演出することができ、これにより、第２の空間Ｓ２の雰囲気を更に効果的に高めることができる。第２化粧シート７２の材質は、例えば第１化粧シート７１の材質と同じである。なお、必要に応じて第２化粧シート７２を省略してもよい。また、フレーム１０の外表面を１つの化粧シートで全面的に覆ってもよい。この場合、第２化粧シート７２は、第１化粧シート７１と一体の構成となる。
【００５６】
第２透過拡散板６２で透過および拡散された光Ｌの少なくとも一部は、第２発光面２０２から第２の空間Ｓ２に向けて射出される。第１光学層４１と異なる光学特性の第２光学層４２を経由して第２発光面２０２から射出されるため、第２発光面２０２から射出される光Ｌは、第１光学層４１を経由して第１発光面２０１から射出される光Ｌに対して射出態様が異なる。
【００５７】
ここで、移動可能な仕切り壁１は、使用者や使用目的等の使用場面が異なる第１の空間Ｓ１と第２の空間Ｓ２とを仕切るために屋内に手軽に設置できるものである。このような移動可能な仕切り壁１の利便性を更に向上させるため、仕切り壁１の照明機能は、第１の空間Ｓ１および第２の空間Ｓ２のそれぞれの使用場面に応じた適切な照明を実現できることが望ましい。本実施の形態に係る仕切り壁１によれば、発光装置２０によって第１の空間Ｓ１および第２の空間Ｓ２に向けて異なる射出態様で光Ｌを射出することで、第１の空間Ｓ１および第２の空間Ｓ２のそれぞれの使用場面に応じた適切な照明を実現することができる。また、１つの光源３０を第１発光面２０１および第２発光面２０２の双方からの光Ｌの射出に用いることができるので、部品点数を抑えることができる。すなわち、本実施の形態に係る仕切り壁１によれば、部品点数を抑えながら、仕切り壁１で仕切られた異なる空間Ｓ１、Ｓ２のそれぞれの使用場面に応じた適切な照明を実現することができる。
【００５８】
また、発光装置２０が第１発光面２０１側と第２発光面２０２側とで異なる光学特性を有する光学層４０を有することで、簡易な構成によって第１の空間Ｓ１側の射出態様と第２の空間Ｓ２側の射出態様とを異ならせることができる。
【００５９】
また、光学層４０が、第１の空隙部８０１を挟んで第１発光面２０１に対向し、第２の空隙部８０２を挟んで第２発光面２０２に対向することで、仕切り壁１を軽量化することができる。
【００６０】
また、第１の空間Ｓ１側の射出態様と第２の空間Ｓ２側の射出態様とを異ならせる方法として、第１発光面２０１側と第２発光面２０２側とで異なる光学特性を有する光学層４０を設ける以外に、第１透過拡散板６１と第２透過拡散板６２の光学特性を異ならせてもよく、また、所定の光学特性のフィルムを第１の空隙部８０１、もしくは第２の空隙部８０２、もしくは両方に設けてもよい。
【００６１】
なお、上述した実施の形態に対して様々な変更を加えることが可能である。以下、必要に応じて図面を参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００６２】
（第１の変形例）
図３は、第１の変形例に係る仕切り壁１を示す平面図である。図４は、第１の変形例に係る仕切り壁を示す背面図である。図３および図４に示される例において、発光装置２０は、第１発光面２０１から第１の空間Ｓ１に向けて射出される光Ｌの色度分布と、第２発光面２０２から第２の空間Ｓ２に向けて射出される光Ｌの色度分布とを互いに異ならせる。このような構成は、例えば、既述したように、第１光学層４１を構成するカラーフィルタの透過波長と、第２光学層４２を構成するカラーフィルタの透過波長とを異ならせることで実現することができる。
【００６３】
このような構成によれば、第１の空間Ｓ１側と第２の空間Ｓ２側とで光Ｌの色を異ならせることができ、これにより、例えば、第１の空間Ｓ１の使用者と、第２の空間Ｓ２の使用者とに、それぞれの空間Ｓ１、Ｓ２の使用場面に適した異なる心理効果を生じさせることができる。例えば、第１の空間Ｓ１を会議に使用し、第２の空間Ｓ２を休憩に使用する場合には、第１の空間Ｓ１側に赤色の光Ｌを射出することで第１の空間Ｓ１の使用者に活気を生じさせることができ、第２の空間Ｓ２側に青色の光Ｌを射出することで第２の空間Ｓ２の使用者をリラックスさせることができる。
【００６４】
（第２の変形例）
図５は、第２の変形例に係る仕切り壁１を示す平面図である。図６は、第２の変形例に係る仕切り壁を示す背面図である。図５および図６に示される例において、発光装置２０は、第１発光面２０１から第１の空間Ｓ１に向けて射出される光Ｌの輝度分布と、第２発光面２０２から第２の空間Ｓ２に向けて射出される光Ｌの輝度分布とを互いに異ならせる。このような構成は、例えば、既述したように、第１光学層４１と第２光学層４２との間で光反射層または光吸収層の形状、大きさ、密度等を異ならせることで実現することができる。
【００６５】
このような構成によれば、第１の空間Ｓ１側と第２の空間Ｓ２側とで光Ｌの明るさを異ならせることができ、これにより、第１の空間Ｓ１および第２の空間Ｓ２のそれぞれの使用場面に適した照明を実現することができる。例えば、第２の空間Ｓ２側の光Ｌを第１の空間Ｓ１側の光Ｌよりも明るくすることで、第１の空間Ｓ１に対しては、光源３０の存在を認識させずに使用者に所望の心理効果を生じさせることができ、第２の空間Ｓ２に対しては、第２の空間Ｓ２を積極的に明るく照明することができる。
【００６６】
また、図５および図６に示される例において、発光面２０１、２０２の或る位置からの出射光量すなわち輝度は、当該位置よりも上方ｄ１１すなわち一軸方向の一方に位置する発光面２０１、２０２の他の或る位置からの出射光量よりも少ない。図５および図６では、出射光量を濃淡で示しており、出射光量が多い領域を濃く表している。
【００６７】
このような輝度分布は、例えば透過拡散板６１、６２の拡散特性の上下方向ｄ１における分布を制御することや、既述した光学層４０を構成する光反射層または光吸収層の上下方向ｄ１における分布を制御することで実現することができる。また、後述する図１０〜図１３に示すように、発光面２０１、２０２と光学層４０との間に導光板８０を配置する場合には、導光板８０の取出要素８１の上下方向ｄ１における分布を制御することで、発光面２０１、２０２の或る位置からの出射光量を、当該位置よりも上方ｄ１１に位置する発光面２０１、２０２の他の或る位置からの出射光量よりも少なくすることができる。このような構成によれば、発光面２０１、２０２から出射される光Ｌの下方ｄ１２側の端部を目立たなくすることができる。これにより、空間Ｓ１、Ｓ２の雰囲気を効果的に高めることができる。
【００６８】
（第３の変形例）
図７は、第３の変形例に係る仕切り壁１を示す平面図である。図８は、第３の変形例に係る仕切り壁１を示す背面図である。図７および図８に示すように、発光装置２０は、第１発光面２０１から射出される光Ｌと第２発光面２０２から射出される光Ｌの模様等の意匠を互いに異ならせてもよい。
【００６９】
（第４の変形例）
図９は、第４の変形例に係る仕切り壁１を示す断面図である。これまでは、光学層４０が互いに異なる光学特性の第１光学層４１および第２光学層４２を有することで、第１発光面２０１側と第２発光面２０２側とで異なる光学特性を有する例について説明した。これに対して、図９に示される例において、光学層４０は、第１光学層４１および第２光学層４２を有するかわりに、第１発光面２０１側の第１光学面４０１と、第１光学面４０１と光学特性が異なる第２発光面２０２側の第２光学面４０２とを有する。
【００７０】
第１光学面４０１および第２光学面４０２は、例えば、樹脂やガラス等の透光性材料で構成された透明基材の表面および裏面に白色インクによる光反射層や黒色インクによる光吸収層を網点等の所定のパターンで印刷することによって形成してもよい。この場合、第１光学面４０１と第２光学面４０２との間で光反射層または光吸収層の形状、大きさ、密度等を異ならせることで、第１発光面２０１から射出される光Ｌと第２発光面２０２から射出される光Ｌの輝度分布や意匠を異ならせることができる。
【００７１】
また、例えば、透明基材の表面および裏面に凹凸形状を形成することで、第１光学面４０１および第２光学面４０２を形成することもできる。この場合、第１光学面４０１と第２光学面４０２との間で凹凸形状を異ならせることで、第１発光面２０１から射出される光Ｌと第２発光面２０２から射出される光Ｌの輝度分布や意匠を異ならせることができる。
【００７２】
また、例えば、透明基材の表面および裏面に金属膜および誘電体膜を積層することで、第１光学面４０１および第２光学面４０２を形成することもてきる。この場合、第１光学面４０１と第２光学面４０２との間で金属膜および誘電体膜の種類、膜厚、積層数等を異ならせることで、第１発光面２０１から射出される光Ｌと第２発光面２０２から射出される光Ｌの輝度分布や意匠を異ならせることができる。
【００７３】
また、例えば、透明基板の表面および裏面に拡散材を塗布することで、第１光学面４０１および第２光学面４０２を形成することもできる。この場合、第１光学面４０１と第２光学面４０２との間で拡散材の種類や厚み等を異ならせることで、第１発光面２０１から射出される光Ｌと第２発光面２０２から射出される光Ｌの輝度分布や意匠を異ならせることができる。
【００７４】
図９に示される例によれば、光学層４０の部品点数を削減することができる。
【００７５】
（第５〜第７の変形例）
図１０は、第５の変形例に係る仕切り壁１を示す断面図である。図１１は、図１０の仕切り壁１の部分拡大断面図である。図１２は、第６の変形例に係る仕切り壁１を示す断面図である。図１３は、第７の変形例に係る仕切り壁１を示す断面図である。
【００７６】
これまでは、導光層として第１の空隙部８０１を備えた仕切り壁１の例について説明した。これに対して、図１０に示される仕切り壁１は、導光層として、光学層４０と第１発光面２０１との間、より具体的には、第１光学層４１と第１透過拡散板６１との間に位置する導光板８０を有する。
【００７７】
図１１に示される例において、導光板８０は、一対の主面８０ａ，８０ｂと、一対の主面８０ａ，８０ｂ間に位置する側面と、を有した板状の部材である。一方の主面が出光面８０ａをなし、他方の主面が裏面８０ｂをなしている。上端に位置する側面は、光Ｌの入光面８０ｃとして機能する。主面８０ａ，８０ｂは、典型的には平面視矩形形状となる。
【００７８】
図１１に示すように、光源３０から射出された光Ｌは、入光面８０ｃから導光板８０に入射し、反射とりわけ全反射することで導光板８０内を進む。導光板８０は、導光板８０内を進む光Ｌの進行方向を変化させる取出要素８１を含んでいる。導光板８０内を進む光Ｌは、取出要素８１によって進行方向を変化させること、とりわけ散乱することで、導光板８０の一対の主面８０ａ，８０ｂに全反射臨界角度未満の入射角度で入射して導光板８０から出射することが可能となる。
【００７９】
取出要素８１で進行方向を変えられた光は、一対の主面８０ａ，８０ｂのいずれかを介して、導光板８０から出射する。導光板８０の出光面８０ａに対面して、第１透過拡散板６１が設けられている。導光板８０の出光面８０ａから出射した光Ｌは、第１透過拡散板６１に入射し、第１透過拡散板６１によって第１化粧シート７１に向けて拡散される。導光板８０の裏面８０ｂに対面して、第１光学層４１が設けられている。裏面８０ｂから出射された光Ｌは、第１光学層４１によって反射され、導光板８０および第１透過拡散板６１側に向かう。
【００８０】
取出要素８１として、導光板８０内を進む光の進行方向を変更し得る種々の要素を用いることができる。図１１に示される例において、取出要素８１は、裏面８０ｂに形成された凹部である。
【００８１】
図１０および図１１に示される例によれば、導光板８０で光Ｌの進行方向を制御することで、空隙部８０１と比較して高精度に発光面２０１上における光Ｌの射出位置および射出範囲を制御することができる。
【００８２】
また、図１２に示すように、光学層４０と第１発光面２０１との間だけでなく、光学層４０と第２発光面２０２との間にも導光板８０を配置してもよい。また、図１３に示すように、導光板８０を設ける場合には、透過拡散板６１、６２および化粧シート７１、７２を省略してもよい。この場合、導光板８０の表面が発光面２０１、２０２を構成する。
【００８３】
（第８〜第１１の変形例）
図１４は、第８の変形例に係る仕切り壁１を示す断面図である。図１５は、第９の変形例に係る仕切り壁１を示す断面図である。図１６は、第１０の変形例に係る仕切り壁１を示す断面図である。図１７は、第１１の変形例に係る仕切り壁１を示す断面図である。
【００８４】
図１４〜図１７に示すように、仕切り壁１は、第１発光面２０１および第２発光面２０２の双方からの光Ｌの射出と、第１発光面２０１および第２発光面２０２のいずれか一方からの光Ｌの射出とを切り替える切替部材を更に備えていてもよい。
【００８５】
図１４に示される仕切り壁１は、切替部材の一例として、光源３０と光学層４０の上端部との間に位置する反射板９１と、反射板９１の下端部を回転可能に支持する支持軸９２とを有する。反射板９１は、手動またはモータ等の駆動源の動力によって支持軸９２を中心に回転移動可能に構成されている。反射板９１は、図１４において矢印Ａ１に示すように、上下方向ｄ１に対して第２発光面２０２側に傾く方向に回転移動することで、光源３０から射出された光Ｌのうちの第２発光面２０２側に進行する一部の光を反射によって第１発光面２０１側に進行させる。これにより、第１発光面２０１に向かうように光Ｌの進行が制御される。また、反射板９１は、図１４において矢印Ａ２に示すように、上下方向ｄ１に対して第１発光面２０１側に傾く方向に回転移動することで、光源３０から射出された光Ｌのうちの第１発光面２０１側に直進する一部の光を反射によって第２発光面２０２側に進行させる。これにより、第２発光面２０２に向かうように光Ｌの進行が制御される。また、反射板９１は、第１発光面２０１側および第２発光面２０２側のいずれにも傾かないことで、光源３０から射出された光Ｌを反射させない。これにより、第１発光面２０１および第２発光面２０２の双方に向かうように光Ｌの進行が制御される。なお、第８〜第１１の変形例で、光学層４０は、前記第１発光面側と前記第２発光面側とで同じ光学特性を有していてもよい。
【００８６】
図１５に示される仕切り壁１は、切替部材の一例として、光学層４０の下端部を支持する支持軸９３を有する。光学層４０は、図１５において矢印Ａ１に示すように、手動またはモータ等の駆動源の動力によって支持軸９３を中心に上下方向ｄ１に対して第２発光面２０２側に傾く方向に回転移動することで、光源３０から射出された光Ｌのうちの第２発光面２０２側に進行する一部の光を反射によって第１発光面２０１側に進行させる。これにより、第１発光面２０１に向かうように光Ｌの進行が制御される。また、光学層４０は、図１５において矢印Ａ２に示すように、支持軸９３を中心に上下方向ｄ１に対して第１発光面２０１側に傾くように回転移動することで、光源３０から射出された光Ｌのうちの第１発光面２０１側に直進する一部の光を反射によって第２発光面２０２側に進行させる。これにより、第２発光面２０２に向かうように光Ｌの進行が制御される。また、光学層４０は、上下方向ｄ１に対して第１発光面２０１側および第２発光面２０２側のいずれにも傾かないことで、第１発光面２０１および第２発光面２０２の双方に向かうように光Ｌの進行を制御する。
【００８７】
図１６に示される仕切り壁１は、切替部材の一例として、光源３０と光学層４０の上端部との間に位置するプリズム９４を有する。図１６に示される例において、プリズム９４の断面形状は、プリズム９４の上端９４ａ、下端９４ｂ、前端９４ｃおよび後端９４ｄが頂部となるような菱形形状である。プリズム９４は、手動またはモータ等の駆動源の動力によって前後方向ｄ３に移動可能に構成されている。プリズム９４は、第１発光面２０１側にのみ光Ｌを屈折させる第１位置まで移動することで、第１発光面２０１に向かうように光Ｌの進行を制御する。図１６に示される例において、プリズム９４の第１位置は、図１６において実線のプリズム９４に示すように、上端９４ａおよび下端９４ｂが光学層４０よりも第１発光面２０１側に位置するときのプリズム９４の位置である。また、プリズム９４は、第２発光面２０２側にのみ光Ｌを屈折させる第２位置まで移動することで、第２発光面２０２に向かうように光Ｌの進行を制御する。図１６に示される例において、プリズム９４の第２位置は、図１６において破線のプリズム９４に示すように、上端９４ａおよび下端９４ｂが光学層４０よりも第２発光面２０２側に位置するときのプリズム９４の位置である。また、プリズム９４は、第１発光面２０１側および第２発光面２０２側の双方に光Ｌを屈折させる第３位置において、第１発光面２０１および第２発光面２０２の双方に向かうように光Ｌの進行を制御する。図１６に示される例において、プリズム９４の第３位置は、上端９４ａおよび下端９４ｂの位置が前後方向ｄ３において光学層４０の位置と同一となるときのプリズム９４の位置である。なお、プリズム９４は、複数のプリズムが集積されたプリズムアレイでもよく、また、回折格子や反射型ルーバなど、異なる方向に光を偏向する二つ以上の偏向部材の組み合せでもよい。
【００８８】
図１７に示される仕切り壁１は、切替部材の一例として、前後方向ｄ３に移動可能に光源３０を保持する保持部９５を有する。光源３０は、手動またはモータ等の駆動源の動力によって保持部９５に沿って前後方向ｄ３に移動可能に構成されている。光源３０は、光学層４０よりも第１発光面２０１側に移動することで、第１発光面２０１に向かうように光Ｌの進行を制御する。また、光源３０は、光学層４０よりも第２発光面２０２側に移動することで、第２発光面２０２に向かうように光Ｌの進行を制御する。また、光源３０は、光学層４０の上端に面する位置に移動することで、第１発光面２０１および第２発光面２０２の双方に向かうように光Ｌの進行を制御する。
【００８９】
図１４〜図１７に示される例によれば、第１の空間Ｓ１および第２の空間Ｓ２の一方が発光装置２０による照明を要しない場面に柔軟に対応することができる。
【００９０】
（第１２、第１３の変形例）
図１８は、第１２の変形例に係る仕切り壁１を示す断面図である。図１９は、第１３の変形例に係る仕切り壁１を示す断面図である。
【００９１】
導光板８０の他の例として、取出要素は、図１８に示すように、導光板本体８２に積層された光散乱層８３とすることができる。図１８に示された例において、導光板８０は、導光板本体８２および光散乱層８３を有している。光散乱層８３は、バインダーとして機能する支持層８３ａと、支持層８３ａ内に分散した光散乱要素８３ｂと、を有している。支持層８３ａは、可視光透過性を有した樹脂から形成され得る。光散乱要素８３ｂは、反射、屈折、回折等によって、光散乱層８３内を進行する光の進行方向を変化させる機能を有している。光散乱要素８３ｂは、支持層８３ａと異なる屈折率を有していてもよいし、金属等の光反射性を有した材料によって形成されていてもよい。光散乱要素８３ｂの具体例として、金属化合物、気体を含有した多孔質物質、金属化合物を周囲に保持した樹脂ビーズ、白色微粒子、気泡、周囲と屈折率が異なる粒子が、例示され得る。図１８に示された例において、出光面８０ａ及び裏面８０ｂでの反射により導光板８０内を進む光Ｌは、光散乱層８３内で光散乱要素８３ｂと衝突することで進行方向を変化させ、その後、導光板８０から出射することが可能となる。
【００９２】
さらに他の例として、図１９に示すように、取出要素として機能する光散乱要素８３ｂが、導光板本体８２内に分散していてもよい。図１９に示された導光板８０では、導光板本体８２内を進む光Ｌが、光散乱要素８３ｂに衝突することで散乱し、導光板８０から出射することができる。
【００９３】
仕切り壁１は、組立キットとして取り扱われても良い。すなわち、仕切り壁１の少なくとも一部が、組立キットとして流通または販売されてもよい。
【００９４】
なお、以上において一実施の形態に対する具体例および変形例を説明してきたが、当然に、複数の例を適宜組み合わせて適用することも可能である。
【符号の説明】
【００９５】
１  仕切り壁
２０１  第１発光面
２０２  第２発光面
２０  発光装置
３０  光源
４０  光学層
４１  第１光学層
４２  第２光学層
４０１  第１光学面
４０２  第２光学面
【図１】
2020133242.tif 000003
【図２】
2020133242.tif 000004
【図３】
2020133242.tif 000005
【図４】
2020133242.tif 000006
【図５】
2020133242.tif 000007
【図６】
2020133242.tif 000008
【図７】
2020133242.tif 000009
【図８】
2020133242.tif 000010
【図９】
2020133242.tif 000011
【図１０】
2020133242.tif 000012
【図１１】
2020133242.tif 000013
【図１２】
2020133242.tif 000014
【図１３】
2020133242.tif 000015
【図１４】
2020133242.tif 000016
【図１５】
2020133242.tif 000017
【図１６】
2020133242.tif 000018
【図１７】
2020133242.tif 000019
【図１８】
2020133242.tif 000020
【図１９】
2020133242.tif 000021